(57)【要約】【課題】複雑な構成かつ重い放熱フィン等を用いることなく、簡単な構成で、組立作業も容易な放熱構造を具備したＬＥＤ照明器具を提供する。【解決手段】漏斗形の電源収納カバー７からなる電源部１００と、外周に煙突効果でＬＥＤから発生する熱を放熱する通気トンネル１Ａ構造を有して内底部に多数のＬＥＤ素子３Ａを配列した円錐台形状のＬＥＤ実装部２００と、前記電源部１００と前記ＬＥＤ実装部２００の間に熱遮断用の空隙を設けて連結して一体の灯器とする連結部３００とで構成した。【選択図】図１
2016012514.tif 000002
【特許請求の範囲】
【請求項１】
漏斗形の電源収納カバーからなる電源部と、外周に煙突効果でＬＥＤから発生する熱を放熱する通気トンネル構造を有して内底部に多数のＬＥＤ素子を配列した円錐台形状のＬＥＤ実装部と、前記電源部と前記ＬＥＤ実装部の間に熱遮断用の空隙を設けて連結して一体の灯器とする連結部とから構成したことを特徴とするＬＥＤ照明器具。
【請求項２】
漏斗形の電源収納カバーからなる電源部と、外周に煙突効果でＬＥＤから発生する熱を放熱する通気トンネル構造を有して内底部に多数のＬＥＤ素子を配列した円錐台形状のＬＥＤ実装部と、前記電源部と前記ＬＥＤ実装部の間に熱遮断用の空隙を設けて連結して一体の灯器とする連結部とから構成したＬＥＤ照明器具であって、
前記電源部は、
前記電源収納カバーの広径開口の直径と同等の直径を有して、内面に電源基板に取り付けた電源回路を固定する電源取付板を有して、外面を前記ＬＥＤ実装部の底部に対向させて前記広径開口を封止する電源基台と、
前記電源収納カバーの狭径開口側に設けられて、電源供給側のコンセントに接続するための口金と、
前記電源収納カバーと前記口金との間で、両者を接続固定する絶縁部とを有し、
前記ＬＥＤ実装部は、
円錐台形状のインナーヒートシンクと、
前記インナーヒートシンクの外側に設けられて、当該インナーヒートシンクと共にその軸方向に沿った通気トンネルを形成する気流促進フードと、
前記インナーヒートシンクの底面となる小径開口端を閉栓して固定されたＬＥＤ基板ベースプレートとを有し、
前記連結部は、
前記ＬＥＤ実装部の前記インナーヒートシンクの前記ＬＥＤ基板ベースプレート側に固定される電源収納部カバーと、
該電源収納部カバーと前記電源基台との間に空隙を形成して両者を連結するスペーサと固定ネジを有し、
前記気流促進フード内を流通する空気流が、主として前記ＬＥＤ基板ベースプレートに実装されたＬＥＤの発熱を大気中に放熱することにより、前記ＬＥＤの動作環境温度を低下させることを特徴とするＬＥＤ照明器具。
【請求項３】
請求項２において、
前記気流促進フードの前記電源収納カバー側の空気流出口を構成する部分の外径は、対向する当該電源収納カバーの広径開口部の外径より大であり、
前記気流促進フードの空気流出口から流出する空気流が、前記電源収納カバーの外面に沿って接触して通過することにより、前記電源収納カバーに収納された電源回路の発熱を大気中に放熱することを特徴とするＬＥＤ照明器具。
【請求項４】
請求項２において、
前記通気トンネルの前記インナーヒートシンクの大径開口側空気流入口端の開口面積が前記空気流出口端の開口面積より大であり、当該通気トンネルを通過する空気流の流速を漸次高めて前記空気流出口端から噴出させることを特徴とするＬＥＤ照明器具。
【請求項５】
請求項２において、
前記連結部の前記間隙を形成するための前記スペーサは、前記電源部と前記ＬＥＤ実装部を熱的に隔離する熱絶縁体で構成されたことを特徴とするＬＥＤ照明器具。
【請求項６】
請求項２において、
前記電源基台と前記電源取付板の少なくとも一方の面に遮熱塗料を塗布してなることを特徴とするＬＥＤ照明器具。
【請求項７】
請求項２において、
前記電源基台と前記電源取付板の間に遮熱シートを設けたことを特徴とするＬＥＤ照明器具。
【請求項８】
請求項２乃至７の何れかにおいて、
前記ＬＥＤ基板ベースプレートに実装された前記ＬＥＤ素子を覆って透明材からなるＬＥＤ防塵カバーを有することを特徴とするＬＥＤ照明器具。
【請求項９】
請求項２において、
前記気流促進フードと前記インナーヒートシンクとで形成される通気トンネルの横断面は略半月形であることを特徴とするＬＥＤ照明器具。
【請求項１０】
請求項２において、
前記気流促進フードと前記インナーヒートシンクとで形成される通気トンネルの横断面は略矩形であることを特徴とするＬＥＤ照明器具。
【請求項１１】
請求項２において、
前記気流促進フードと前記インナーヒートシンクとで形成される通気トンネルの横断面は略三角形であることを特徴とするＬＥＤ照明器具。
【請求項１２】
請求項２乃至１１の何れかにおいて、
前記気流促進フードと前記インナーヒートシンクはアルミニウム板のプレス成型品又は板金成形品の何れかであることを特徴とするＬＥＤ照明器具。
【請求項１３】
請求項２乃至１２の何れかにおいて、
前記電源収納カバーはアルミニウム板のプレス成形品又は板金成形品の何れかであることを特徴とするＬＥＤ照明器具。
【発明の詳細な説明】
【技術分野】
【０００１】
本発明は、発光手段として多数のＬＥＤ素子を配列したＬＥＤ照明器具に係り、駆動に伴うＬＥＤおよび駆動電源の発熱を効率よく低減する放熱構造を備えたＬＥＤ照明器具に関する。
【背景技術】
【０００２】
近年の省エネ機運の高まりに伴って、発光デバイスにＬＥＤ素子（発光ダイオード）を用いた照明器具が実用化され、タングステン電球、蛍光管あるいは水銀放電管などの旧来の発光デバイスを用いた照明器具に順次置換されるようになっている。ＬＥＤ素子を用いた照明器具（以下、ＬＥＤライトとも称する）は、１又は複数のＬＥＤ素子を実装容器（灯器）に封止して構成される。また、その駆動電源は当該灯器に収容され、あるいは灯器とは別ユニットとしてＬＥＤライトを構成している。
【０００３】
ＬＥＤ素子は電流駆動であり、発光効率もその電源効率も含めて現状では約８０Ｌｍ／Ｗから２００Ｌｍ／Ｗ（ロードマップ：２０２０年）であり、発光に寄与しない電力は熱となって灯器に滞留する。一般家庭などの室内照明に用いられるＬＥＤ照明器具は、使用するＬＥＤ素子の数が少ないため、灯器内部に電源を封止したものでも、そのＬＥＤ素子と電源回路からの発熱を定格温度以下に抑制することはさほど困難ではない。
【０００４】
しかしながら、投光器などに用いられる大容量のＬＥＤライトでは、一個の灯器に多数のＬＥＤ素子を収納して構成され、その駆動回路も大規模なものとなる。そのため、その発熱量も過大なものとなり、灯器に放熱構造を具備させることが要求される。その電源も、ＬＥＤライトと同じ灯器に収納したものから、発光容量が大きいものでは、別個の電源ユニットとして灯器から離して設ける場合が多い。
【０００５】
このようなＬＥＤライトで照明装置を構成する作業を考慮すれば、電源もＬＥＤ灯器に収納するのが望ましいが、上記した発熱の処理（放熱）は電源を別ユニットとしたものに比べて困難であり、放熱構造は大規模、かつ複雑なものとなる。ＬＥＤの発熱を放熱する構造を備えたＬＥＤ照明器具に関する従来技術を開示したものとしては、特許文献１、特許文献２などを挙げることができる。
【０００６】
特許文献１に開示のＬＥＤ投光器では、漏斗状のハウジングの大径開口部に多数のＬＥＤ素子を搭載したプリント配線基板を配置し、プリント配線基板の背面に多数の放熱フィンを植立した放熱板を設けている。さらに、ハウジングの上記放熱板の設置部分の周りに円筒形の放熱ベルトを設けている。電源は上記ハウジングの小径部に収納されている。
【０００７】
また、特許文献２は円盤状のＬＥＤ搭載板の背面に放射状の溝を設け、この溝に扇形の放熱フィンを植立させて、全体として漏斗状としたＬＥＤ照明器具を開示する。
【先行技術文献】
【特許文献】
【０００８】
【特許文献１】特開２０１０−２５１１９１号公報
【特許文献２】特開２０１４−１１１００号公報
【発明の概要】
【発明が解決しようとする課題】
【０００９】
特許文献１に示されたように、ＬＥＤ灯器に電源を収容したものでは、漏斗形をなすハウジング内で、その大径部開口部に多数のＬＥＤ素子を実装したプリント配線基板の背面に放熱板と放熱フィンを設けている。そして更に、当該大径部開口部の外側を周回して上記放熱板にネジで連結した放熱ベルトを設けて、上記放熱板からの熱を放散するように構成している。また、ハウジングの小径円筒部に電源回路を収納しているが、その発熱の処理については特に言及はない。
【００１０】
特許文献２に開示された照明器具は、ＬＥＤ灯器を冷却フィンで構成したもので、多数のＬＥＤ素子を実装した基板の背面に扇形の放熱フィンを多数植立して設け、全体として漏斗形の灯器としたものである。電源の放熱に関しての記述はない。
【００１１】
ＬＥＤ照明器具は、そのＬＥＤ素子の実装数が増すほど発熱量が増加する。さらに、取り扱いの容易性、あるいは複数のＬＥＤ照明器具で構成する大規模な投光装置の設置作業の観点から望ましいとされる電源一体型のＬＥＤ照明器具では、電源自体の発熱も放熱できる構成とする必要がある。
【００１２】
上記したように、従来のＬＥＤ照明器具の放熱手段は、部品点数が多く、重量のあるフィン構造の組立作業も複雑である。本発明の目的は、複雑な構成の放熱フィンを用いることなく、簡単な放熱構造で、組立作業も容易な軽量のＬＥＤ照明器具を提供することにある。
【課題を解決するための手段】
【００１３】
上記目的を達成するため、本発明に係るＬＥＤ照明器具を、電源部とＬＥＤ実装部とを熱的に分離し、前記電源部と前記ＬＥＤ実装部の間に空隙を設けて連結して一体の灯器とする連結部とから構成した。本発明の代表的な構成例を以下に記述する。なお、ここでは、本発明に係るＬＥＤ照明器具の特徴を容易に把握できるようにするため、実施例の対応する構成の符号を付して記述する。
【００１４】
（基本構成）本発明にかかるＬＥＤ照明器具は、漏斗形の電源収納カバーからなる電源部（１００）と、外周に煙突効果でＬＥＤから発生する熱を放熱する通気トンネル（１Ａ）構造を有して内底部に多数のＬＥＤ素子（３Ａ）を配列した円錐台形状のＬＥＤ実装部（２００）と、前記電源部（１００）と前記ＬＥＤ実装部（２００）の間に熱遮断用の空隙を設けて連結して一体の灯器とする連結部（３００）とから構成したことを特徴とする。
【００１５】
（構成例１）漏斗形の電源収納カバー（７）からなる電源部（１００）と、外周に煙突効果でＬＥＤから発生する熱を放熱する通気トンネル（１Ａ）構造を有して内底部（小径開口端）に取り付けた多数のＬＥＤ素子（３Ａ）を配列した円錐台形状のＬＥＤ実装部（２００）と、前記電源部（１００）と前記ＬＥＤ実装部（２００）の間に熱遮断用の空隙を設けて連結して一体の灯器とする連結部（３００）とから構成したＬＥＤ照明器具であって、
前記電源部（１００）は、
前記電源収納カバー（７）の広径開口の直径と同等の直径を有して、内面に電源基板（１０Ａ）に取り付けた電源回路（１０）を固定する電源取付板（１４）を有して、外面を前記ＬＥＤ実装部（２００）の底部に対向させて前記広径開口を封止する電源基台（６）と、
前記電源収納カバー（７）の狭径開口側に設けられて、電源供給側のコンセントに接続するための口金（１２）と、
前記電源収納カバー（７）と前記口金（１２）との間で、両者を接続固定する絶縁部（４００）とを有し、
前記ＬＥＤ実装部（２００）は、
円錐台形状のインナーヒートシンク（２）と、
前記インナーヒートシンク（２）の外側に設けられて、当該インナーヒートシンク（２）と共にその軸方向に沿った通気トンネル（１Ａ）を形成する気流促進フード（１）と、
前記インナーヒートシンク（２）の底面となる小径開口端を閉栓して固定されたＬＥＤ基板ベースプレート（３）とを有し、
前記連結部（３００）は、
前記ＬＥＤ実装部（２００）の前記インナーヒートシンク（２）の前記ＬＥＤ基板ベースプレート（３）側に固定される電源収納部カバー（１３）と、
該電源収納部カバー（１３）と前記電源基台（６）との間に空隙を形成して両者を連結するスペーサ（５）と固定ネジ（５Ａ）を有し、
前記気流促進フード（１）内を流通する空気流が、主として前記ＬＥＤ基板ベースプレート（３）に実装されたＬＥＤ（３Ａ）の発熱を大気中に放熱することにより、前記ＬＥＤの動作環境温度を低下させることを特徴とする。
【００１６】
（構成例２）前記（構成例１）における前記気流促進フード（１）の前記電源収納カバー（７）側の空気流出口を構成する部分の外径は、対向する当該電源収納カバー（７）の広径開口部の外径より大であり、
前記気流促進フード（１）の空気流出口から流出する空気流が、前記電源収納カバー（７）の外面に沿って接触して通過することにより、前記電源収納カバー（７）に収納された電源回路の発熱を大気中に放熱することを特徴とする。
【００１７】
（構成例３）前記（構成例１）における前記通気トンネル（１Ａ）の前記インナーヒートシンク（２）の大径開口側空気流入口端の開口面積（Ｓ１）が前記空気流出口端の開口面積（Ｓ２）より大であり、当該通気トンネル（１Ａ）を通過する空気流の流速を漸次高めて前記空気流出口端から噴出させることを特徴とする。
【００１８】
（構成例４）前記（構成例１）における前記連結部（３００）の前記間隙を形成するための前記スペーサ（５）は、前記電源部（１００）と前記ＬＥＤ実装部（２００）を熱的に隔離する熱絶縁体で構成されたことを特徴とする。
【００１９】
（構成例５）前記（構成例１）における前記電源基台（６）と前記電源取付板（１４）の少なくとも一方の面に遮熱塗料（１４Ａ）を塗布してなることを特徴とする。
【００２０】
（構成例６）前記（構成例１）における前記電源基台（６）と前記電源取付板（１４）の間に遮熱シート（１４Ｂ）を設けたことを特徴とする。
【００２１】
（構成例７）前記（構成例１）乃至（構成例６）の何れかにおける前記ＬＥＤ基板ベースプレート（３）に実装された前記ＬＥＤ素子（３Ａ）を覆って透明材からなるＬＥＤ防塵カバーを有することを特徴とする。
【００２２】
（構成例８）前記（構成例１）における前記気流促進フード（１）と前記インナーヒートシンク（２）とで形成される通気トンネル（１Ａ）の横断面は略半月形であることを特徴とする。
【００２３】
（構成例９）前記（構成例１）における前記気流促進フード（１）と前記インナーヒートシンク（２）とで形成される通気トンネル（１Ａ）の横断面は略矩形であることを特徴とする。
【００２４】
（構成例１０）前記（構成例１）における前記気流促進フード（１）と前記インナーヒートシンク（２）とで形成される通気トンネル（１Ａ）の横断面は略三角形であることを特徴とする。
【００２５】
（構成例１１）前記（構成例１）乃至（構成例１０）の何れかにおける前記気流促進フード（１）と前記インナーヒートシンク（２）はアルミニウム板のプレス成型品又は板金成形品の何れかであることを特徴とする。
【００２６】
（構成例１２）前記（構成例１）乃至（構成例１１）の何れかにおける前記電源収納カバー（７）はアルミニウム板のプレス成形品又は板金成形品の何れかであることを特徴とする。
【００２７】
本発明は上記の構成例に限定されるものではなく、本発明の技術思想を逸脱することなく種々の変形が可能であることは言うまでもない。
【発明の効果】
【００２８】
この種の照明器具は、図示しない電源コンセントに口金をねじ込み、ＬＥＤ実装部が電源収納カバーよりも下側あるいは略下側となるようにして点灯される。点灯によりＬＥＤ基板ベースプレートに搭載された多数のＬＥＤ素子が発生する熱は、ＬＥＤ基板ベースプレートの周縁に固着されたインナーヒートシンクに伝達され、当該インナーヒートシンクの温度を上昇させる。インナーヒートシンクはアルミニウム薄板を好適とする熱容量の小さい材料で構成されている。
【００２９】
インナーヒートシンクの外周には、該インナーヒートシンクの軸方向長さ（幅）に略等しい幅で、当該は幅に沿って横断面が略半月形の凸状部を形成した気流促進フードが設けられている。気流促進フードは、上記略半月形の凸状部と前記インナーヒートシンクの外面とで通気トンネルを形成している。そして、気流促進フードとインナーヒートシンクとは、ともにそれらの大径開口端部から小径開口端部に向けて通気トンネルの断面が徐々に小さくなるように上記凸状部が形成されている。インナーヒートシンクの小径開口端部には上記ＬＥＤ基板ベースプレートが取り付けられている。
【００３０】
多数のＬＥＤ素子を搭載したＬＥＤ基板ベースプレートは、当最したＬＥＤ素子が発生した熱をインナーヒートシンクに伝達する（その一部は気流促進フードにも伝達される）。これらの熱は通気トンネルの内部にある空気の温度を上昇させ、外気との間に温度差を作る。その結果、所謂煙突効果（スタック  エフェクト：stack effect）によって、通気トンネルの内部で温まった空気はインナーヒートシンクの大径開口端部側の通気トンネルの開口から外気を引き入れながら小径開口端部に抜けて流出する。これにより、ＬＥＤ基板ベースプレートで発生した熱は放熱される。
【００３１】
また、多数のＬＥＤ素子を点灯するための定電流電源回路からなる電源部は漏斗形の電源収納カバーに収納され、電源収納カバーの広径開口部は円錐台形状のＬＥＤ実装部の小径開口端に所定の間隙をもって対向するように設けられる。ＬＥＤの発熱を吸熱してＬＥＤ実装部に形成された通気トンネルから流出する気流は、外気と共に電源収納カバーの表面に接触することで電源部で発生した熱も脱熱しながら口金方向に流れる。
【００３２】
そして、電源部とＬＥＤ実装部を連結部で分離し、間に間隙を設けたことにより、この間隙に外気が自由に流通すると共に、上記した通気トンネルから流出する気流に引き込まれて空気の流れを作る。この間隙の大きさは、ＬＥＤ照明器具の消費電力量に応じて（電源部とＬＥＤ実装部の発熱量に応じて）決定できる。これにより、電源部とＬＥＤ実装部の放熱効果が更に向上する。
【００３３】
上記したように、本発明のＬＥＤ照明器具は、ＬＥＤ実装部の外周に煙突効果でＬＥＤから発生する熱を放熱する通気トンネル構造を有して内底部に多数のＬＥＤ素子を配列した円錐台形状のＬＥＤ実装部と、前記電源部と前記ＬＥＤ実装部の間に熱遮断用の空隙を設けて連結して一体の灯器とする連結部とから構成したことで、従来のようなダイキャスト成形などによる重量のある、高コストで複雑な放熱フィンなどを用いることなく、簡易な構造で、高い放熱効果を奏することができる。
【００３４】
電源部の電源収納カバー、ＬＥＤ実装部を構成する気流促進フードとインナーヒートシンクの放熱構造を、アルミニウムを好適とする軽量な材料を用いることで、大容量の投光器でも、比較的軽量かつ低コストでの製造が可能である。
【図面の簡単な説明】
【００３５】
【図１】本発明に係るＬＥＤ照明器具の実施例１を説明する（ａ）正面図、（ｂ）側面図である。
【図２】本発明に係るＬＥＤ照明器具の実施例１を説明する図１の（ａ）に示したＬＥＤ実装部の背面図である。
【図３】本発明に係るＬＥＤ照明器具の実施例１を説明する図１の（ｂ）に示したＬＥＤ照明器具の展開図である。
【図４】本発明に係るＬＥＤ照明器具の実施例１を説明する図１の（ｂ）に示したＬＥＤ照明器具の内部を透視して示す側面図である。
【図５】本発明に係るＬＥＤ照明器具の実施例１の放熱作用を説明する模式図である。
【図６】本発明に係るＬＥＤ照明器具の実施例２を説明する図１の（ａ）に対応する正面図である。
【図７】本発明に係るＬＥＤ照明器具の実施例３を説明する図１の（ａ）に対応する正面図である。
【発明を実施するための形態】
【００３６】
以下、本発明を実施するための形態を、実施例の図面を参照して詳細に説明する。本発明に係るＬＥＤ照明器具の基本構成は、漏斗形の電源収納カバーからなる電源部と、外周に煙突効果でＬＥＤから発生する熱を放熱する通気トンネル構造を有して内底部に多数のＬＥＤ素子を配列した円錐台形状のＬＥＤ実装部と、前記電源部と前記ＬＥＤ実装部の間に熱遮断用の空隙を設けて連結して一体の灯器とする連結部とから構成したことにある。
【実施例１】
【００３７】
本発明の実施例１を図１乃至図４を参照して説明する。図１は本発明に係るＬＥＤ照明器具の実施例１を説明する（ａ）正面図、（ｂ）側面図、図２は図１の（ａ）に示したＬＥＤ実装部の背面図、図３は本発明に係るＬＥＤ照明器具の実施例１を説明する図１の（ｂ）に示したＬＥＤ照明器具の側面の展開図、そして、図４は図１の（ｂ）に示したＬＥＤ照明器具の内部を透視して示す側面図である。
【００３８】
本発明の実施例１にかかるＬＥＤ照明器具は、漏斗形の電源収納カバー７からなる電源部１００と、煙突効果でＬＥＤ３Ａから発生する熱を放熱する通気トンネル１Ａ構造を外周に有して内底部に多数のＬＥＤ素子３Ａを配列した円錐台形状のＬＥＤ実装部２００を備える。前記電源部１００と前記ＬＥＤ実装部２００の間には、熱遮断用の空隙を設けて連結して一体の灯器とする連結部３００を有する。図中の符号５は上記空隙を規定するスペーサである。このスペーサ５は中央にネジ穴を形成した中空円筒であり、ネジ穴にネジ（ボルトが好適）を挿通して電源部１００とＬＥＤ実装部２００を連結している。
【００３９】
前記電源部１００は、前記電源収納カバー７のＬＥＤ実装部２００に対向する広径開口の直径と同等の直径を有して、内面に電源基板１０Ａに取り付けた電源回路１０を固定する電源取付板１４を備え、外面を前記ＬＥＤ実装部２００の底部に対向させて前記広径開口を封止する電源基台６と、前記電源収納カバー７の狭径開口側に設けられて、電源供給側のコンセント（図５）に接続するための口金１２と、前記電源収納カバー７と前記口金１２との間で、両者を接続固定する絶縁部４００とを有している。絶縁部４００はセラミックス成形品である。
【００４０】
前記ＬＥＤ実装部２００は、円錐台形状のインナーヒートシンク２と、このインナーヒートシンク２の外側（外周壁））に設けられて、当該インナーヒートシンク２と共にその軸方向に沿った通気トンネルを形成する気流促進フード１と、前記インナーヒートシンク２の底面となる小径開口端を閉栓して固定されたＬＥＤ基板ベースプレート３とを有している。符号９はリフレクターで、ここではＬＥＤ基板ベースプレート３が透明基板材料とされ、ＬＥＤ素子３Ａの発光を前方に反射させる。リフレクター９はＬＥＤ素子３Ａの背後に設置してもよい。このインナーヒートシンク２は気流促進フード１と共に、アルミニウム板のプレス成形品又は板金成形品で構成する。
【００４１】
前記連結部３００は、ＬＥＤ実装部２００のインナーヒートシンク２に取り付けたＬＥＤ基板ベースプレート３側に固定されるアルミニウムなどの金属板を好適とする電源収納部カバー１３と、該電源収納部カバー１３と電源基台６との間に空隙を形成して両者を連結するスペーサ５と固定ネジ５Ａを有している。固定ネジはボルト・ナット以外の既知の固定手段を用いることもできる。
【００４２】
このように構成としたものにおいて、気流促進フード１内を流通する空気流が、主として前記ＬＥＤ基板ベースプレート３に実装されたＬＥＤ３Ａの発熱を大気中に放熱することにより、前記ＬＥＤの動作環境温度を低下させることができる。この放熱の作用については、図５を参照して後述する。
【００４３】
前記気流促進フード１の前記電源収納カバー７側の空気流出口を構成する部分の外径は、対向する当該電源収納カバー７の広径開口部の外径より大とするのが好ましい。このように構成することで、気流促進フード１の空気流出口から流出する空気流が、電源収納カバー７の外面に沿って接触して通過することにより、前記電源収納カバー７に収納された電源回路の発熱を大気中に放熱させることができる。
【００４４】
本実施例では、前記通気トンネル１Ａのインナーヒートシンク２の大径開口側空気流入口端の開口面積Ｓ１が前記空気流出口端の開口面積Ｓ２より大であり、当該通気トンネル１Ａを煙突効果で通過する空気流の流速を漸次高めて前記空気流出口端から噴出させ、電源収納カバー７の表面に接触させて放散する。なお、通気トンネル１Ａの空気流入口端の開口面積Ｓ１と空気流出口端の開口面積Ｓ２を上記のような関係にしなくても煙突効果は得られることは言うまでもない。
【００４５】
連結部３００の前記間隙を形成するためのスペーサ５は、電源部１００とＬＥＤ実装部２００を熱的に隔離する熱絶縁体とするのが望ましい。ここでは、セラミックス円筒を用いた。また、前記電源基台６と電源取付板１４の少なくとも一方の面に既知の遮熱塗料１４Ａを塗布し、或いは電源基台６と電源取付板１４の間に既知の遮熱シート１４Ｂを設けることで、空隙での電源部１００とＬＥＤ実装部２００の間の遮熱効果を高めることができる。
【００４６】
前記ＬＥＤ基板ベースプレート３に実装された多数のＬＥＤ素子３Ａを覆って耐熱樹脂を好適とする透明材からなるＬＥＤ防塵カバー８を設ける。このＬＥＤ防塵カバー８の固定に防水Ｏリングなどの気密封止手段を用いてＬＥＤ素子に対する防滴・防水機能を持たせることで、全天候型の照明器具とすることができる。
【００４７】
図５は、本発明に係るＬＥＤ照明器具の実施例１の放熱作用の説明図である。図５は図４と同様の側面図であり、ＬＥＤ実装部２００を構成する通気トンネル１Ａの一部を破断し、放熱のための気流１５（１５Ａ，１５Ｂ）を矢印にて示してある。このＬＥＤ照明器具は、上記実施例１で説明したもので、その電源部１００の口金（ここでは、Ｅ３９）をコンセント１６にねじ込んで、下向きに投光して照明するようにしている。
【００４８】
図示しない電源スイッチを投入し、電源収納カバーに内蔵された電源部からＬＥＤ実装部のＬＥＤ基板ベースプレート３に搭載された複数のＬＥＤ素子３Ａに電力を供給する。これにより、ＬＥＤ素子３Ａは発光を開始する。ＬＥＤ素子３Ａの点灯に伴い発熱も始まる。この熱はＬＥＤ基板ベースプレート３からインナーヒートシンク２に伝導され、さらに気流促進プレート１にも伝導される。インナーヒートシンク２と気流促進プレート１は、共にヒートシンクとして機能するがこれのみでの放熱は十分でない。
【００４９】
ＬＥＤ素子３Ａの点灯後、発熱はインナーヒートシンク２と気流促進プレート１を加熱する。インナーヒートシンク２と気流促進プレート１の温度が上昇してくると、通気トンネル１Ａ内の空気は加熱により体積が膨張して密度が低下し、浮力が生じる。その結果通気トンネル１Ａ内の空気は上昇を始め、ＬＥＤ実装部２００の上側の開口（電源収納カバー７側の開口（ＬＥＤ実装部の小径開口端部））から流出する。
【００５０】
この流出に伴い、ＬＥＤ実装部２００の下側の開口（同大径開口端部）から周囲の低温空気が矢印１５Ａで示したように流入する。通気トンネル１Ａに流入した空気は加熱され、上記と同様の作用でＬＥＤ実装部の小径開口端部から矢印１５Ｂに示すように流出する。以下、これを連続して繰り返すことでＬＥＤ実装部２００からＬＥＤ素子３Ａの発熱を空気中に放熱する。
【００５１】
ＬＥＤ実装部２００の小径開口端部は、電源収納カバー７の広径開口の周縁よりも距離Ｄだけはみ出ている。そのため、ＬＥＤ実装部２００の小径開口端部から流出した空気流は、電源収納カバー７の漏斗形状表面に沿って図の上方に流動する。これによって、電源収納カバー７から熱が取り去られ、電源回路の発熱も放熱される。
【００５２】
実施例１により、複雑な構成の放熱フィンを用いることなく、簡単な放熱構造で、組立作業も容易なＬＥＤ照明器具を提供することができる。
【実施例２】
【００５３】
実施例１のＬＥＤ照明器具では、気流促進フード１とインナーヒートシンク２とで形成される通気トンネル１Ａの横断面は略半月形とした。図６は本発明に係るＬＥＤ照明器具の実施例２を説明する図１の（ａ）に対応する正面図である。実施例２では、気流促進フード１とインナーヒートシンク２とで形成される通気トンネル１Ａの横断面を略矩形とした点が実施例１と相違する。その他の構成と作用は実施例１と同様であるので、繰り返しの説明はしない。
【００５４】
横断面を略矩形とした通気トンネル１Ａは、実施例１の略半月形よりもプレス成形の金型が単純であるため、実施例１と比べて製造コストを低減できるという効果がある。他の効果は実施例１のものと同様である。
【実施例３】
【００５５】
図７は、本発明に係るＬＥＤ照明器具の実施例３を説明する図１の（ａ）に対応する正面図である。実施例３では、気流促進フード１とインナーヒートシンク２とで形成される通気トンネル１Ａの横断面を略三角形とした。その他の構成と作用は実施例１と同様であるので、繰り返しの説明はしない。
【００５６】
横断面を略三角形とした通気トンネル１Ａは、実施例２の略矩形としたものと同様にプレス成形の金型が単純である。実施例１も又、実施例１と比べて製造コストを低減できるという効果がある。他の効果は実施例１のものと同様である。
【００５７】
前記したように、本発明に係るＬＥＤ実装部を構成する気流促進フード１やインナーヒートシンク２、電源収納カバー７などの金属部材は、アルミニウム又はその合金の板材を好適とする金属材料のプレス成型品又は板金成形品の何れかで構成するのが望ましい。これにより、全体として軽量化が実現できる。なお、アルミニウム又はその合金に限らず、マグネシウム合金なども使用できる。
【００５８】
上記した各実施例では、通気トンネルの幅方向断面が略半月形、略矩形、略三角形の３種としたが、これら以外の形状、例えば５角形以上の多角径、円筒や楕円筒などとすることもできる。また、電源の接続手段として口金とこの口金をねじ込むソケットを用いたが、本発明はこのような手段に限るものではなく、既知の他の形式のソケット、あるいは電源回路から引き出したケーブルの先にプラグを取り付けた形式のＬＥＤ照明器具も本発明の範囲に含まれる。
【符号の説明】
【００５９】
１・・・気流促進フード
１Ａ・・・通気トンネル
２・・・インナーヒートシンンク
３・・・ＬＥＤ基板ベースプレート
３Ａ・・・ＬＥＤ素子
４・・・防水Ｏリング
５・・・スペーサ
５Ａ・・・ネジ
６・・・電源基台
７・・・電源収納カバー
８・・・ＬＥＤ防塵カバー
９・・・リフレクター
１０・・・電源回路
１０Ａ・・・電源基板
１１・・・絶縁部材
１２・・・口金
１３・・・電源収納部カバー
１４・・・電源取付板
１４Ａ・・・遮熱塗料
１４Ｂ・・・遮熱シート
１５（１５Ａ，１５Ｂ）・・・空気流
１６・・・ソケット
１００・・・電源部
１０１・・・広径開口部
１０２・・・狭径開口部
１１０・・・ネック部
２００・・・ＬＥＤ実装部
３００・・・連結部
４００・・・絶縁部
【図１】
2016012514.tif 000003
【図２】
2016012514.tif 000004
【図３】
2016012514.tif 000005
【図４】
2016012514.tif 000006
【図５】
2016012514.tif 000007
【図６】
2016012514.tif 000008
【図７】
2016012514.tif 000009